(57)【特許請求の範囲】
【請求項１】
端末装置と、通信ネットワークを介して前記端末装置に接続されるとともに、前記端末装置によるコンテンツサーバへの接続を仲介する仲介サーバと、を含むコンテンツ閲覧システムであって、
前記端末装置は、
複数のユーザからなるグループごとに付与されたグループ識別情報、及び前記ユーザごとに付与されたユーザ識別情報を前記仲介サーバに送信し、かつ、接続すべきコンテンツサーバを特定するコンテンツサーバ特定情報を含み、前記コンテンツサーバ特定情報によって特定されるコンテンツサーバに接続するための接続命令を接続指示画面情報に追加するよう要求する追加要求を前記仲介サーバに送信する端末装置側送信手段と、
を備え、
前記仲介サーバは、
前記端末装置より送信された前記グループ識別情報、前記ユーザ識別情報、前記コンテンツサーバ特定情報、及び前記追加要求を受信する仲介サーバ側受信手段と、
前記仲介サーバ側受信手段が前記追加要求を受信したことに応じて、前記仲介サーバ側受信手段にて受信した前記グループ識別情報と前記ユーザ識別情報の組み合わせに対応する接続指示画面情報に対して、前記仲介サーバ側受信手段にて受信した前記コンテンツサーバ特定情報によって特定されるコンテンツサーバに接続するための接続命令を追加する追加手段と、
を備えたことを特徴とするコンテンツ閲覧システム。
【請求項２】
前記端末装置側送信手段は、さらに、前記接続指示画面情報を要求する画面情報要求を前記仲介サーバに送信し、
前記仲介サーバは、さらに、前記追加手段にて前記接続命令が追加された前記接続指示画面情報を、前記仲介サーバ側受信手段にて受信した前記グループ識別情報及び前記ユーザ識別情報の組み合わせに対応付けて記憶する画面情報記憶手段を備え、
前記仲介サーバ側受信手段は、前記端末装置側送信手段によって送信されてきた前記画面情報要求を受信し、
前記仲介サーバは、前記仲介サーバ側受信手段が前記画面情報要求を受信したことに応じて、前記仲介サーバ側受信手段にて受信した前記グループ識別情報及び前記ユーザ識別情報の組み合わせに対応する前記接続指示画面情報を前記画面情報記憶手段から読み出して、前記端末装置に送信する仲介サーバ側送信手段を備え、
前記端末装置は、さらに、
前記画面情報要求に応じて前記仲介サーバ側送信手段によって送信されてきた前記接続指示画面情報を受信する端末装置側受信手段と、
前記端末装置側受信手段で受信した前記接続指示画面情報を表示する表示手段と、
を備えたことを特徴とする請求項１に記載のコンテンツ閲覧システム。
【請求項３】
前記仲介サーバは、
前記追加手段による前記接続指示画面情報への前記接続命令の追加に応じて、当該接続命令によって接続されるコンテンツサーバに対する課金処理を行なう課金手段をさらに備え、
前記課金手段は、前記接続指示画面情報への前記接続命令の追加ごとに当該接続命令によって接続されるコンテンツサーバに対する課金を行なうが、同一の前記グループに所属する複数のユーザの前記接続指示画面情報に前記接続命令が追加された場合には、当該複数のユーザのそれぞれの前記接続指示画面情報への前記接続命令の追加に対しては、重複して課金をしない、
ことを特徴とする請求項１又は２に記載のコンテンツ閲覧システム。
【請求項４】
前記コンテンツ閲覧システムは、さらに、前記コンテンツサーバを含み、
前記仲介サーバは、前記仲介サーバ側受信手段にて受信した前記グループ識別情報及び前記ユーザ識別情報を前記コンテンツサーバへ送信し、
前記コンテンツサーバは、
前記仲介サーバから送信されてきた前記グループ識別情報及び前記ユーザ識別情報を受信するコンテンツサーバ側受信手段と、
前記コンテンツサーバ側受信手段にて受信した前記グループ識別情報及び前記ユーザ識別情報の組み合わせに対応するコンテンツを含む閲覧ページを生成する閲覧ページ生成手段と、
前記閲覧ページ生成手段にて生成された前記閲覧ページを送信するコンテンツサーバ側送信手段と、
を備えたことを特徴とする請求項１ないし３のいずれか一項に記載のコンテンツ閲覧システム。
【請求項５】
前記コンテンツサーバは、さらに、
前記ユーザ識別情報ごとに、ユーザの個人情報を記憶した個人情報記憶手段と、
前記コンテンツサーバ側受信手段にて受信した前記ユーザ識別情報に対応する個人情報を前記個人情報記憶手段より読み出して、読み出した前記個人情報を用いた処理を行なう処理手段と、
を備えたことを特徴とする請求項４に記載のコンテンツ閲覧システム。
【請求項６】
通信ネットワークを介して端末装置に接続されるとともに、前記端末装置によるコンテンツサーバへの接続を仲介する仲介サーバにおける仲介方法であって、
前記端末装置より、複数のユーザからなるグループごとに付与されたグループ識別情報、及び前記ユーザごとに付与されたユーザ識別情報を受信し、かつ、接続すべきコンテンツサーバを特定するコンテンツサーバ特定情報を含み、前記コンテンツサーバ特定情報によって特定されるコンテンツサーバに接続するための接続命令を接続指示画面情報に追加するよう要求する追加要求を受信する受信ステップと、
前記受信ステップにて前記追加要求を受信したことに応じて、前記受信ステップにて受信した前記グループ識別情報と前記ユーザ識別情報の組み合わせに対応する接続指示画面情報に対して、前記追加要求に含まれる前記コンテンツサーバ特定情報によって特定されるコンテンツサーバに接続するための接続命令を追加する追加ステップと、
を含むことを特徴とする仲介方法。
【発明の詳細な説明】
【技術分野】
【０００１】
本発明は、端末装置から仲介サーバを介してコンテンツサーバに接続するコンテンツ閲覧システム及びその仲介サーバにおける仲介方法に関する。
【背景技術】
【０００２】
従来、インターネットにおいてコンテンツを閲覧する際に、複数のサイトへのリンクが含まれるポータルサイトが利用される。さらに、多数のサイトの中から、ユーザが所望するサイトへのリンクを含むように、カスタマイズ可能なポータルサイトを構築するサービスも知られている（特許文献１）。このサービスにより、ユーザを特定してポータルサイトにアクセスすれば、当該ユーザ用にカスタマイズされたポータルサイトが提供される。
【０００３】
一方、そのようなポータルサイトへのリンクの掲載は、当該リンク先サイトの広告の効果を有するので、上記のサービスでは、リンク先サイトの管理者が、そのようなポータルサイトの提供者に対して、リンクがクリックされるごとに、又は当該ポータルサイトにリンクが掲載されるごとに、広告料としての料金を支払うシステムが構築されている。
【先行技術文献】
【特許文献】
【０００４】
【特許文献１】特開２００２−３１２０９０号公報
【発明の概要】
【発明が解決しようとする課題】
【０００５】
しかしながら、上記の従来のサービスには、ポータルサイトを利用してコンテンツを閲覧するユーザにとっても、また、ポータルサイトにリンクを掲載することで自社サイトへの誘導を試みる代わりに広告料として料金を支払う広告主にとっても、改善の余地がある。まず、ユーザにとっては、同一のユーザであっても、例えば自宅と別荘など、閲覧場所の相違によって、所望するコンテンツが異なってくるので、ポータルサイトに掲載したいリンク先も異なることになる。
【０００６】
また、場所以外の要素としても、例えば、マンションの住戸と戸建ての住戸とでは同一のユーザであっても所望されるコンテンツは異なることがある。上記の従来のサービスでは、ユーザごとに自分専用のポータルサイトが提供されていたので、どこからでも、また、どの端末からでも、１人のユーザに対しては常に同じポータルサイトが提供されていた。
【０００７】
また、広告主にとっては、住宅設備や食料品などの生活密着型のコンテンツを提供する場合には、住戸の立地によりコンテンツの魅力が異なるため、同じ住戸内で（同じ端末で）複数のユーザがポータルサイトにリンク先を掲載する場合と、別々の住戸（別々の端末）のユーザがそれぞれポータルサイトにリンク先を掲載する場合とを同列に扱って、広告料が徴収されることには不公平感があった。
【０００８】
即ち、コンテンツの提供者としては、別々の住戸となる複数のユーザのポータルサイトにそれぞれリンク先が掲載される場合には、その人数分だけ広告効果が上がるといえるが、同一の住戸となる複数のユーザのポータルサイトにそれぞれリンク先が掲載された場合には、必ずしもその人数分だけの広告効果が上がるとはいえない場合もある。
【０００９】
また、コンテンツ提供者が取得するマーケティング情報としてのユーザの個人情報についても、同じ住戸内で複数のユーザから取得する場合と、別々の住戸のユーザからそれぞれ取得する場合とでは、後者の方がその価値が高くなる。
【００１０】
いずれにしても、コンテンツ提供者にとっては、広告効果やユーザの個人情報の多様性を考慮すれば、別々の住戸のユーザと広くつながりを持つことの方が、同じ住戸内で複数のユーザとつながりを持つことに比べて重要性が高い。しかしながら、上記の従来のサービスではこのような事情が広告料金に反映されていなかった。
【００１１】
本発明は、上記の課題にかんがみてなされたものであり、ユーザにとっても、広告主としてコンテンツを提供するコンテンツ提供者にとっても、便利な、カスタマイズ可能なポータルサイトを構築できるコンテンツ閲覧システムを提供することを目的とする。
【課題を解決するための手段】
【００１２】
上記の課題を解決するために、本発明のコンテンツ閲覧システムは、端末装置と、通信ネットワークを介して前記端末装置に接続されるとともに、前記端末装置によるコンテンツサーバへの接続を仲介する仲介サーバと、を含むコンテンツ閲覧システムであって、前記端末装置は、複数のユーザからなるグループごとに付与されたグループ識別情報、及び前記ユーザごとに付与されたユーザ識別情報を前記仲介サーバに送信し、かつ、接続すべきコンテンツサーバを特定するコンテンツサーバ特定情報を含み、前記コンテンツサーバ特定情報によって特定されるコンテンツサーバに接続するための接続命令を接続指示画面情報に追加するよう要求する追加要求を前記仲介サーバに送信する端末装置側送信手段とを備え、前記仲介サーバは、前記端末装置より送信された前記グループ識別情報、前記ユーザ識別情報、前記コンテンツサーバ特定情報、及び前記追加要求を受信する仲介サーバ側受信手段と、前記仲介サーバ側受信手段が前記追加要求を受信したことに応じて、前記仲介サーバ側受信手段にて受信した前記グループ識別情報と前記ユーザ識別情報の組み合わせに対応する接続指示画面情報に対して、前記仲介サーバ側受信手段にて受信した前記コンテンツサーバ特定情報によって特定されるコンテンツサーバに接続するための接続命令を追加する追加手段とを備えた構成を有する。
【００１３】
この構成によれば、仲介サーバは、端末装置から複数のユーザからなるグループごとに付与されたグループ識別情報、ユーザごとに付与されたユーザ識別情報、及び追加要求を受信して、グループ識別情報とユーザ識別情報の組み合わせに対応する接続指示画面情報に接続命令を追加するので、接続指示画面情報は、グループ識別情報とユーザ識別情報の組み合わせごとに生成・更新される。よって、同一のユーザに対しても、グループが異なれば異なる接続指示画面情報が提供される。例えばグループが端末ごとに設定されている場合には、異なる端末からアクセスする同一のユーザに対しては、異なる接続指示画面情報が提供される。さらに、端末が住戸等に固定的に設置されていれば、異なる場所からアクセスする同一のユーザに対して、異なる接続指示画面情報を提供できる。
【００１４】
上記のコンテンツ閲覧システムにおいて、前記端末装置側送信手段は、さらに、前記接続指示画面情報を要求する画面情報要求を前記仲介サーバに送信してよく、前記仲介サーバは、さらに、前記追加手段にて前記接続命令が追加された前記接続指示画面情報を、前記仲介サーバ側受信手段にて受信した前記グループ識別情報及び前記ユーザ識別情報の組み合わせに対応付けて記憶する画面情報記憶手段を備えていてよく、前記仲介サーバ側受信手段は、前記端末装置側送信手段によって送信されてきた前記画面情報要求を受信してよく、前記仲介サーバは、前記仲介サーバ側受信手段が前記画面情報要求を受信したことに応じて、前記仲介サーバ側受信手段にて受信した前記グループ識別情報及び前記ユーザ識別情報の組み合わせに対応する前記接続指示画面情報を前記画面情報記憶手段から読み出して、前記端末装置に送信する仲介サーバ側送信手段を備えていてよく、前記端末装置は、さらに、前記画面情報要求に応じて前記仲介サーバ側送信手段によって送信されてきた前記接続指示画面情報を受信する端末装置側受信手段と、前記端末装置側受信手段で受信した前記接続指示画面情報を表示する表示手段とを備えていてよい。
【００１５】
この構成によれば、ユーザは、グループ識別情報及びユーザ識別情報を特定して仲介サーバに接続指示画面情報を要求し、ユーザの端末装置には、グループ識別情報とユーザ識別情報の組み合わせに対応する接続指示画面情報が提供されて、これが表示されるので、同一のユーザであっても、グループが異なれば異なる接続指示画面情報を表示させることができる。
【００１６】
上記のコンテンツ閲覧システムにおいて、前記仲介サーバは、前記追加手段による前記接続指示画面情報への前記接続命令の追加に応じて、当該接続命令によって接続されるコンテンツサーバに対する課金処理を行なう課金手段をさらに備えていてよく、前記課金手段は、前記接続指示画面情報への前記接続命令の追加ごとに当該接続命令によって接続されるコンテンツサーバに対する課金を行なうが、同一の前記グループに所属する複数のユーザの前記接続指示画面情報に前記接続命令が追加された場合には、当該複数のユーザのそれぞれの前記接続指示画面情報への前記接続命令の追加に対しては、重複して課金をしないようにしてよい。
【００１７】
この構成によれば、接続指示画面情報に接続命令が追加されると、その接続命令によって接続されるコンテンツサーバに対する課金処理が行われるが、この課金処理では、同一のグループに所属する複数のユーザによって、その接続指示画面情報に接続命令が追加されたとしても、それらの複数のユーザについて重複した課金は行われないので、課金される者の不公平感が減少する。
【００１８】
上記のコンテンツ閲覧システムにおいて、前記コンテンツ閲覧システムは、さらに、前記コンテンツサーバを含んでいてよく、前記仲介サーバ側送信手段は、さらに、前記コンテンツサーバに前記グループ識別情報及び前記ユーザ識別情報を送信してよく、前記コンテンツサーバは、前記識別情報送信手段によって送信されてきた前記グループ識別情報及び前記ユーザ識別情報を受信するコンテンツサーバ側受信手段と、前記コンテンツサーバ側受信手段にて受信した前記グループ識別情報及び前記ユーザ識別情報の組み合わせに対応するコンテンツを含む閲覧ページを生成する閲覧ページ生成手段と、前記閲覧ページ生成手段にて生成された前記閲覧ページを送信するコンテンツサーバ側送信手段とを備えていてよい。
【００１９】
この構成により、仲介サーバからコンテンツサーバに送信される識別情報にはグループ識別情報とユーザ識別情報とが含まれるので、コンテンツサーバでは、単にグループとユーザの組み合わせごとに異なる識別情報を付与する場合と比較して、より柔軟な処理を行うことができる。すなわち、コンテンツサーバにおいては、同一のユーザであってもグループが異なる場合には異なる閲覧ページを生成して提供することができる。なお、仲介サーバは端末装置から受信したグループ識別情報及びユーザ識別情報又はそれらを含む識別情報をそのままコンテンツサーバに送信してもよいし、何らかの変換を施した上でコンテンツサーバに提供してもよい。
【００２０】
上記のコンテンツ閲覧システムにおいて、前記コンテンツサーバは、さらに、前記ユーザ識別情報ごとに、ユーザの個人情報を記憶した個人情報記憶手段と、前記コンテンツサーバ側受信手段にて受信した前記ユーザ識別情報に対応する個人情報を前記個人情報記憶手段より読み出して、読み出した前記個人情報を用いた処理を行なう処理手段とを備えていてよい。
【００２１】
この構成により、コンテンツサーバにて、ユーザ識別情報で当該ユーザを特定できるので、ユーザは、異なる複数のグループに所属する場合にも、グループごとにコンテンツサーバに対して個人情報を登録する必要がなくなる。
【００２２】
本発明の別の態様は、通信ネットワークを介して端末装置に接続されるとともに、前記端末装置によるコンテンツサーバへの接続を仲介する仲介サーバにおける仲介方法である。この仲介方法は、前記端末装置より、複数のユーザからなるグループごとに付与されたグループ識別情報、及び前記ユーザごとに付与されたユーザ識別情報を受信し、かつ、接続すべきコンテンツサーバを特定するコンテンツサーバ特定情報を含み、前記コンテンツサーバ特定情報によって特定されるコンテンツサーバに接続するための接続命令を接続指示画面情報に追加するよう要求する追加要求を受信する受信ステップと、前記受信ステップにて前記追加要求を受信したことに応じて、前記受信ステップにて受信した前記グループ識別情報と前記ユーザ識別情報の組み合わせに対応する接続指示画面情報に対して、前記追加要求に含まれる前記コンテンツサーバ特定情報によって特定されるコンテンツサーバに接続するための接続命令を追加する追加ステップとを含んでいる。
【００２３】
この構成によっても、接続指示画面情報は、グループ識別情報とユーザ識別情報の組み合わせごとに生成・更新される。よって、同一のユーザに対しても、グループが異なれば異なる接続指示画面情報が提供される。なお、グループ識別情報及びユーザ識別情報と、追加要求とは同時に受信してもよいし、別々のタイミングで受信してもよい。
【発明の効果】
【００２４】
本発明によれば、コンテンツサーバに接続するための接続命令を含む接続指示画面情報が、グループ識別情報とユーザ識別情報の組み合わせごとに生成・更新されるので、同一のユーザに対しても、グループが異なれば異なる接続指示画面情報を提供できる。
【図面の簡単な説明】
【００２５】
【図１】本発明の実施の形態のコンテンツ閲覧システムの構成を示すブロック図
【図２】本発明の実施の形態の端末装置の表示部の表示例を示す図
【図３】本発明の実施の形態のコンテンツ閲覧トップ画面を表示するまでの表示部の表示例を示す図
【図４】本発明の実施の形態のコンテンツ閲覧トップ画面の表示例を示す図
【図５】本発明の実施の形態の画面情報記憶部に記憶されている情報の構造を示す図
【図６】本発明の実施の形態のコンテンツ閲覧トップ画面のカスタマイズの処理を示すフロー図
【図７】本発明の実施の形態のグループ及びそこに所属するユーザの例を示す図
【図８】本発明の実施の形態の図７の例のグループ及びユーザにおいてバナーの追加及び削除を行うときの課金処理の例を示す図
【図９】本発明の実施の形態の端末装置において閲覧ページを表示する動作を説明するフロー図
【発明を実施するための形態】
【００２６】
以下、本発明の実施の形態のコンテンツ閲覧システムについて、図面を用いて説明する。本発明のコンテンツ閲覧システムは、通信ネットワークを介して端末装置及びコンテンツサーバと接続される仲介サーバを備えている。すなわち、端末装置からは、直接コンテンツサーバに接続するのではなく、仲介サーバを介してコンテンツサーバからのコンテンツの提供を受ける。
【００２７】
また、後に詳しく説明するが、本実施の形態のコンテンツ閲覧システムでは、仲介サーバより端末装置に対して、各コンテンツサーバに接続するためのバナーを掲載したコンテンツ閲覧トップ画面が提供される。仲介サーバの運営者、すなわちこのコンテンツ閲覧システムの運営者は、あらかじめ複数のコンテンツサーバの管理者、すなわちコンテンツ提供者と提携関係を結んでいる。ユーザは、そのような複数のコンテンツ提供者の中から所望のコンテンツ提供者を選択して、そのコンテンツサーバに接続するためのバナーを掲載するようにコンテンツ閲覧トップ画面をカスタマイズできる。
【００２８】
このように、仲介サーバを介して、特定のコンテンツ提供者のサーバに接続することで、ユーザが有害なサイトや成りすましのサイトにアクセスすることを防止できる。また、ユーザは、複数のコンテンツ提供者の中から所望のものを選択するだけで、コンテンツ閲覧トップ画面にそのコンテンツ提供者のサーバに接続するためのバナーが掲載され、そのコンテンツサーバにアクセスするためには、そのバナーに対して操作をするだけでよい。
【００２９】
よって、パーソナルコンピュータ等の操作が困難であるお年寄りや子供であっても、安全に、かつ、簡単に、端末装置においてコンテンツサーバのコンテンツを閲覧できる。このような端末装置は、住宅等の警備システムのコントローラを利用して実現することができる。すなわち、端末装置は、警備対象である顧客（端末装置のユーザ）の住宅等に設置されて警備の設定・管理等を行うとともに、コンテンツ閲覧もできる警備システム用のコントローラであってよい。以下では、端末装置がそのような住宅等に設置される警備システム用のコントローラである場合を例に、本発明の実施の形態を説明する。
【００３０】
図１は、本実施の形態のコンテンツ閲覧システムの構成を示すブロック図である。コンテンツ閲覧システム１００は、仲介サーバ１０と、端末装置２０と、コンテンツサーバ３０とを含んでいる。コンテンツサーバ３０は、運営者と提携関係にあるコンテンツ提供者によって管理運営されるサーバである。なお、図１では１つの端末装置２０と１つのコンテンツサーバ３０のみを示しているが、実際には１つの仲介サーバ１０に対して、複数の端末装置２０と複数のコンテンツサーバ３０がそれぞれ接続される。
【００３１】
仲介サーバ１０と端末装置２０とは、通信ネットワークＮＷ１によって接続されている。通信ネットワークＮＷ１は、インターネットである。仲介サーバ１０と端末装置２０とは、通信ネットワークＮＷ１を介してｈｔｔｐｓ（Hypertext Transfer Protocol over Secure Socket Layer）による通信を行なう。
【００３２】
仲介サーバ１０とコンテンツサーバ３０とは、通信ネットワークＮＷ２によって接続されている。仲介サーバ１０とコンテンツサーバ３０とは、通信ネットワークＮＷ２を介してＶＰＮ（Virtual Private Network）による通信を行なう。なお、通信ネットワークＮＷ２がインターネットであって、仲介サーバ１０とコンテンツサーバ３０とがインターネットＶＰＮによる通信を行なってもよい。
【００３３】
端末装置２０は、表示部２１、入力部２２、通信部２３、及びユーザ認証部２４を備えている。本実施の形態では、表示部２１は液晶パネルであり、入力部２２はタッチセンサであり、このタッチセンサと液晶パネルとが合わさってタッチパネルが構成されている。ユーザ認識部２４は、本実施の形態では、各ユーザが所持する認証カードを読み取るカードリーダを備えている。
【００３４】
端末装置２０は、警備対象箇所に備えられたカメラや各種センサ等の警備用機器（不図示）と有線又は無線で接続され、警備用機器から画像、センサ検出値を受けてこれを表示部２１に表示し、入力部２２に対するユーザの入力に応じて、各種の警備の設定を行う。また、端末装置２０は、コントロールセンタ（不図示）に、ユーザの帰宅、警備の設定等の入力情報や警備用機器のセンサ検出値を送信する等の機能を有するとともに、コンテンツ閲覧機能を有する。以下の説明では、警備に関する機能の説明は省略し、コンテンツ閲覧機能に関連する構成を説明する。
【００３５】
図２は、表示部２１の表示例を示す図である。図２は、端末装置２０を立ち上げると最初に表示されるメイン画面を示している。メイン画面には、警備に関する入力を行なうためのアイコンのほかに、モードを切り替えるためのアイコンとして、メニューアイコンとともに、コンテンツ閲覧用アイコンＩ１が含まれている。
【００３６】
各ユーザが、このメイン画面に対して操作（例えば、「在宅」のアイコンをタッチして警備システムを在宅状態にする操作）を行う際には、まずユーザの認証が行われる。コンテンツ閲覧アイコンＩ１をタッチしてコンテンツ閲覧を行う際にも、ユーザの認証が行われる。
【００３７】
本実施の形態では、認証カードを用いたユーザの認証が行われる。各ユーザは、それぞれ認証カードを所持している。例えば、この端末装置２０が住宅に設置される場合には、その住宅に住む家族のメンバがそれぞれ自分の認証カードを所持している。認証カードには、認証コードが記憶されている。本実施の形態では、認証コードとして、当該ユーザの識別情報が用いられる。
【００３８】
ユーザ認証部２４には、当該端末装置２０のユーザとしてあらかじめ登録されている認証カードの認証コードを記憶した記憶部２４１を備えている。記憶部２４１は、例えば、家族のメンバが４人であり４人がそれぞれ認証カードを持っている場合には、その４人の認証コードを記憶している。また、記憶部２４１は、各認証コードに対応させて、各ユーザによってあらかじめ登録されている各ユーザの暗証番号を記憶している。
【００３９】
ユーザ認証部２４は、認証カードから認証コードを読み取るカードリーダ２４２、及び認証処理を行う認証部２４３を備えている。メイン画面に対してユーザによる操作が開始されると、ユーザ認証部２４は、認証処理を開始する。
【００４０】
図３は、コンテンツ閲覧アイコンＩ１がタッチされて、コンテンツ閲覧トップ画面を表示するまでの表示部２１の表示例を示す図である。メイン画面Ｄ１において、コンテンツ閲覧アイコンＩ１がタッチされると、ユーザ認証部２４は、カード操作を促す画面Ｄ２を表示する。ユーザが認証カードを操作すると、カードリーダ２４２は、認証カードに記憶されている認証コードを読み取る。なお、カードリーダ２４２は、かざされた認証カードを電波で読み取る方式でも、認証カードを磁気的に読み取る方式でも、その他の方式であってもよい。
【００４１】
カードリーダ２４２が認証コードを読み取ると、ユーザ認証部２４は、さらに表示部２１を用いて、ユーザに暗証番号の入力を促す画面Ｄ３を表示する。ユーザから暗証番号が入力されると、認証部２４３は、この入力された暗証番号と先に読み取っている認証コードとの組み合わせが、記憶部２４１に記憶されている暗証番号と認証コードの組み合わせと一致するか否かを判断することにより、ユーザ認証を行う。ユーザの認証がされると、表示部２１にはコンテンツ閲覧トップ画面Ｄ４が表示される。なお、暗証番号は任意の英数字からなるパスワードであってもよい。
【００４２】
図４は、コンテンツ閲覧トップ画面の表示例を示す図である。コンテンツ閲覧トップ画面には、システム運営者と提携しているコンテンツ提供者のうちの、端末装置のユーザが登録したコンテンツ提供者のバナーが表示される。図３の例において、コンテンツ閲覧トップ画面には、１つの大きなバナーＢ１と複数の小さなバナーＢ２〜Ｂ４が含まれる。また、コンテンツ閲覧トップ画面には、バナーの登録をするためのコンテンツ提供者一覧アイコンＩ２が含まれている。登録したコンテンツ提供者のバナーが複数頁にわたってもよく、その場合には頁送りアイコンＩ３によって、表示する頁を前後させることができる。
【００４３】
ユーザがいずれかのバナーをタッチすると、表示部２１にそのコンテンツ提供者が提供するコンテンツを含む閲覧ページが表示される。このために、端末装置２０は、入力部２２でタッチ操作を検出すると、通信部２３がタッチされたバナーに対応するコンテンツ提供者のコンテンツを要求するアクセス要求を、通信ネットワークＮＷ１を介して仲介サーバ１０に送信する。そして、このアクセス要求に応じて仲介サーバ１０から送信されてきた閲覧ページを通信部２３で受信して、表示部２１に表示する。このように、バナーは特定のコンテンツサーバに接続するための命令を含むものであり、本発明の接続命令に該当する。また、このバナーを含むコンテンツ閲覧トップ画面は、接続指示画面に該当し、それを表示するための情報は、本発明の接続指示画面情報に該当する。
【００４４】
コンテンツ閲覧を実現するために、仲介サーバ１０は、通信部１１を備えている。通信部１１は、端末装置２０からアクセス要求を受けると、対応するコンテンツ提供者のコンテンツサーバ３０にアクセスして閲覧ページを取得し、取得した閲覧ページを通信ネットワークＮＷ１を介して端末装置２０に送信する。
【００４５】
ここで、コンテンツ閲覧トップ画面へのバナーの追加（登録）について説明する。ユーザは、図４に示したコンテンツ閲覧トップ画面の提携コンテンツ提供者一覧アイコンＩ２をタッチすることで、表示部２１に提携コンテンツ提供者一覧を表示して、その中から、コンテンツ閲覧トップ画面にバナーを表示するコンテンツ提供者を選択する。そうすると、選択したコンテンツ提供者にユーザの個人情報を送信するための画面が表示され、ユーザはその画面に従って、自己の個人情報を入力して送信することで、当該コンテンツ提供者の登録を行なう。この個人情報は、仲介サーバ１０を介して該当するコンテンツ提供者のコンテンツサーバ３０に提供される。そして、この登録によって、当該ユーザのコンテンツ閲覧トップ画面には、当該コンテンツ提供者のバナーが表示されるようになる。
【００４６】
なお、ユーザは、登録を行なってバナーを表示しなくとも、提携コンテンツ提供者一覧にあるコンテンツ提供者のＷｅｂコンテンツを閲覧することは可能であるが、登録をすることで、個人情報が当該企業に提供されるので、都度個人情報を入力することなく、当該登録したコンテンツ提供者の閲覧ページに従って任意の入力を行なってコンテンツサーバ３０に要求を送信することができ、これにより、コンテンツサーバ３０に対して、予約、注文、申し込み等の各種の手続を簡単に行なうことができるようになる。
【００４７】
また、コンテンツサーバ３０においても、ユーザが登録をすることによって、当該ユーザの個人情報が得られるので、当該個人情報に基づいて、そのユーザに適した閲覧ページを提供できる。また、ユーザが登録をすることによって、コンテンツサーバ３０からユーザに対して、メッセージ等のプッシュ送信を行なうこともできるようになる。
【００４８】
上記のコンテンツ閲覧トップ画面（接続指示画面）は、仲介サーバ１０から提供されて、端末装置２０の表示部２１に表示される。仲介サーバ１０は、端末装置２０にコンテンツ閲覧トップ画面を提供するために、更新部１２及び画面情報記憶部１３を備えている。
【００４９】
更新部１２は、ユーザが上記のバナーの登録を行ったうえで、端末装置２０より更新処理を行った場合に、その更新処理に応じて接続指示画面情報を更新して、画面情報記憶部１３に保存する。画面情報記憶部１３は、グループ識別情報とユーザ識別情報との組み合わせごとに、接続指示画面情報を保存している。即ち、画面情報記憶部１３は、各接続指示画面情報をグループ識別情報とユーザ識別情報との組み合わせに対応付けて記憶している。
【００５０】
図５は、画面情報記憶部１３に記憶されている情報の構造を示す図である。図５に示すように、画面情報記憶部１３には、各接続指示画面情報に対して、グループ識別情報のインデクスとユーザ識別情報のインデクスを付加して管理をしている。これは、後述するように、同一のグループに所属する複数のユーザが重複して同じコンテンツ提供者の登録を行った場合には、それらの登録に対して重複して課金しないようにするためである。
【００５１】
また、図５に示すように、ＭＰ０２というユーザ識別情報を有する同一のユーザについては、グループ識別情報ＭＫ０１との組み合わせと、グループ識別情報ＭＫ０２との組み合わせとの場合では、異なる接続指示画面情報（接続指示画面情報２と接続指示画面情報３）が記憶されている。これは、同一のユーザであっても、グループ識別情報が異なれば、異なる接続指示画面情報が提供されるようにするためである。
【００５２】
ここで、グループ識別情報について説明する。グループ識別情報は、本実施の形態では、端末装置２０が設置される対象（例えば住宅）ごとに固有に与えられた識別情報である。端末装置２０の設置対象に対して、１つの端末装置２０のみが設置される場合には、グループ識別情報は、各端末装置２０に固有に与えられた端末ＩＤであってよい。端末装置２０の設置対象に対して、複数の端末装置２０が設置される場合には、それらの複数の端末装置は共通のグループ識別情報を有することになる。
【００５３】
すなわち、本実施の形態において、グループとは、端末装置２０の設置対象を利用する者であり、端末装置２０が住宅に設置される場合は、その住宅を利用する家族であり、同一のユーザであっても、複数の住宅（例えば、自宅と実家など）でユーザ登録をしている者は、各住宅において、それぞれ異なるコンテンツ閲覧トップ画面が表示されることになる。なお、本発明のグループ識別情報は、端末装置２０の設置対象ごとに固有に与えられるものに限らず、任意の単位（例えば、同じ地域にある端末）で固有に与えられた識別情報であってよい。
【００５４】
グループ識別情報は、端末装置２０に記憶されている。なお、後述するように、ユーザが端末装置２０においてコンテンツ閲覧トップ画面を表示し、又はコンテンツ閲覧トップ画面をカスタマイズする際には、端末装置２０から仲介サーバ１０にグループ識別情報とユーザ識別情報を送信して、仲介サーバ１０においてユーザ及びグループを特定するが、上述のように、認証カードにはユーザ識別情報が記憶されているので、端末装置２０は、この認証カードから読み取ったユーザ識別情報と自ら記憶しているグループ識別情報とを仲介サーバ１０に送信する。このような実施の形態によれば、ユーザは、同一の認証カードを用いて、複数の場所に設置された（グループ識別情報の異なる）端末装置２０から仲介サーバ１０にアクセスすることができる。
【００５５】
しかし、本発明はこれに限られず、例えば、グループ識別情報とユーザ識別情報とが認証カードに記憶されていてもよい。この場合には、ユーザは、異なる場所に設置された端末装置２０からは異なる認証カードを用いて仲介サーバ１０にアクセスすることになる。
【００５６】
次に、ユーザによるコンテンツ閲覧トップ画面のカスタマイズ（更新）について説明する。図６は、コンテンツ閲覧トップ画面のカスタマイズの処理を示すフロー図である。ユーザは、図４に示したコンテンツ閲覧トップ画面にあるコンテンツ提供者一覧アイコンＩ２をタッチすることで、コンテンツ閲覧トップ画面に新たなコンテンツ提供者のバナーを追加することができる。
【００５７】
端末装置２０は、コンテンツ提供者一覧アイコンＩ２がタッチされると、仲介サーバ１０からコンテンツ提供者一覧を取得して、表示部２１に表示する。ユーザが追加したいコンテンツ提供者を指定し、さらに新たに追加するこのコンテンツ提供者のバナーを大きなバナーとするか小さなバナーとするかを指定すると、そのコンテンツ提供者を特定する情報、大きなバナーとするか小さいバナーとするかの情報、当該ユーザのユーザ識別情報、及びグループ識別情報を含む更新要求（追加要求）が仲介サーバ１０に送信される（ステップＳ１１１）。
【００５８】
仲介サーバ１０の通信部１１は、更新要求を受信する（ステップＳ１２１）。更新部１２は、通信部１１にて更新要求を受信したことに応じて、受信したユーザ識別情報及びグループ識別情報の組み合わせに対応する接続指示画面情報を画面情報記憶部１３から読み出して、当該接続指示画面情報に、更新要求において特定されたコンテンツ提供者のバナーを追加する（ステップＳ１２２）。なお、このとき、更新部１２は、新たに追加するバナーを大きなバナーとするか小さなバナーとするかの指定に従って接続指示画面情報を更新する。
【００５９】
なお、上記の説明では、グループ識別情報及びユーザ識別情報が、更新要求と共に仲介サーバ１０に送信されるが、本発明はこれに限らず、例えば、上記のユーザ認証の際に端末装置２０から仲介サーバ１０にグループ識別情報及びユーザ識別情報を送信して認証をし、認証に成功したらその後の端末装置２０と仲介サーバ１０との間のセッションにおいてはユーザ認証の際に端末装置２０から仲介サーバ１０に送信したグループ識別情報及びユーザ識別情報を用いてもよい。
【００６０】
このようにして更新された接続指示画面情報は、受信したユーザ識別情報及びグループ識別情報の組み合わせに対応付けられて画面情報記憶部１３に保存される。そして、課金処理部１４は、新たに追加されたバナーに対応するコンテンツ提供者に対する課金処理を行う（ステップＳ２１３）。課金処理については後述する。
【００６１】
更新部１２は、接続指示画面情報に対して新たなバナーを追加する更新だけでなく、すでに接続指示画面情報に含まれているバナーを削除する処理も行う。具体的には図６に示したのと同様の手順で削除を行う。すなわち、端末装置２０は、図２に示すメイン画面にてアイコンＩ１がタッチされると、ユーザ識別情報及びグループ識別情報と共に、画面情報要求が仲介サーバ１０に送信される。仲介サーバ１０は、ユーザ識別情報及びグループ識別情報を受信してその組み合わせに対応する接続画面情報を端末装置２０に提供する。端末装置２０は、これを受信して表示部２１に接続指示画面を表示する。なお、ここでもグループ識別情報及びユーザ識別情報は、必ずしも画面情報要求と一緒に送信される必要はない。
【００６２】
ユーザは、この接続指示画面において削除したいコンテンツ提供者のバナーを指定する。端末装置２０は、グループ識別情報及びユーザ識別情報、並びに削除にかかるコンテンツ提供者を特定する情報を含む更新要求（削除要求）を仲介サーバ１０に送信する（ステップＳ１１１）。なお、ここでもグループ識別情報及びユーザ識別情報は、必ずしも更新要求と一緒に送信される必要はない。
【００６３】
仲介サーバ１０の通信部１１は、更新要求を受信する（ステップＳ１２１）。更新部１２は、通信部１１にて更新要求を受信したことに応じて、更新要求に含まれるユーザ識別情報及びグループ識別情報の組み合わせに対応する接続指示画面情報から、更新要求において特定されたコンテンツ提供者のバナーを削除する（ステップＳ１２２）。このようにして更新された接続指示画面情報は、画面情報記憶部１３に保存される。
【００６４】
そして、課金処理部１４は、バナーが削除されたコンテンツ提供者に対する課金処理を行う（ステップＳ２１３）。以上のとおり、接続指示画面情報に新たなコンテンツ提供者のバナーを追加したり、すでにあるコンテンツ提供者のバナーを削除したりする更新が行われたときに、課金処理部１４は、コンテンツ提供者に対する課金処理（課金を開始する処理、及び課金を解除する処理）を行う。以下、この課金処理について説明する。
【００６５】
課金処理部１４は、更新部１２によって接続指示画面情報に新たなコンテンツ提供者のバナーが追加された場合には、それに応じて、当該コンテンツ提供者（コンテンツサーバ）に対する課金を行う。この課金は、当該バナーが実際にタッチされて対応するコンテンツサーバへのアクセスが行われるごとに一定の料金を課すものであってもよいし、バナーが登録されている間、１ヶ月につき一定額を課金するなど、定期的に定額の料金を課すものであってもよく、又は他の方法で料金を課すものであってもよい。
【００６６】
課金処理部１４は、上記のとおり、原則的には、接続指示画面情報へのバナーの追加ごとに該当するコンテンツ提供者（コンテンツサーバ）に対する課金を行なうが、同一のグループに所属する複数のユーザの接続指示画面情報に同一のバナーが追加された場合には、当該複数のユーザのそれぞれの接続指示画面情報へのバナーの追加に対しては、重複して課金をしない。以下、具体例を示して説明する。
【００６７】
図７は、グループ及びそこに所属するユーザの例を示す図である。図７を参照して、グループとユーザとの関係を説明する。図７の例では、東京都の家Ａ（グループ識別情報：ＭＫ０１）に所属するユーザとして、祖母（ユーザ識別情報：ＭＰ０１）及び母（ユーザ識別情報：ＭＰ０２）がおり、京都府の家Ｂ（グループ識別情報：ＭＫ０２）に所属するユーザとして、母（ユーザ識別情報：ＭＰ０２）と子（ユーザ識別情報：ＭＰ０３）がいる。すなわち、母は家Ａにも家Ｂにも所属している。そして、母は、家Ａで端末装置２０を利用する場合も、家Ｂで端末装置２０を利用する場合も、同一のユーザ識別情報、すなわち同一の認証カードを用いる。
【００６８】
図８は、図７の例のグループ及びユーザにおいてバナーの追加及び削除を行うときの課金処理の例を示す図である。ここでは、ある１つのコンテンツ提供者のバナーが追加され、削除される場合について説明する。家Ａの端末装置２０において祖母が自分の接続指示画面にバナーを追加すると（ステップＳ３１１）、仲介サーバ１０の更新部１２は、このグループ識別情報とユーザ識別情報の組み合わせ（ＭＫ０１＆ＭＰ０１）に対応する接続指示画面情報に、該当するバナーを追加する（ステップＳ３５１）。課金処理部１４は、この更新に対応して、家Ａを課金対象として、コンテンツ提供者に対する課金を行う（ステップＳ３１２）。
【００６９】
次に、母が家Ａの端末装置２０において自分の接続指示画面にバナーを追加すると（ステップＳ３２１）、仲介サーバ１０の更新部１２は、このグループ識別情報とユーザ識別情報の組み合わせ（ＭＫ０１＆ＭＰ０２）に対応する接続指示画面情報に、該当するバナーを追加する（ステップＳ３５２）。ただし、このとき、すでに家Ａは課金対象となっているので、コンテンツ提供者に対する課金対象が増加することはなく、すなわちこのバナーの追加によってコンテンツ提供者に更なる課金がされることはない。
【００７０】
また、家Ｂの端末装置２０において母が自分の接続指示画面にバナーを追加すると（ステップＳ３３１）、仲介サーバ１０の更新部１２は、このグループ識別情報とユーザ識別情報の組み合わせ（ＭＫ０２＆ＭＰ０２）に対応する接続指示画面情報にバナーを追加する（ステップＳ３５３）。課金処理部１４は、この更新に対応して、家Ｂを課金対象として、コンテンツ提供者に対する課金を行う（ステップＳ３３２）。
【００７１】
次に、家Ｂの端末装置２０において母が自分の接続指示画面からバナーを削除すると（ステップＳ３３３）、仲介サーバ１０の更新部１２は、このグループ識別情報とユーザ識別情報の組み合わせ（ＭＫ０２＆ＭＰ０２）に対応する接続指示画面情報から該当するバナーを削除する（ステップＳ３５４）。家Ｂにおいて該当のバナーを登録しているユーザがいなくなったため、課金処理部１４は、この更新に対応して、家Ｂを、コンテンツ提供者に対する課金の対象から除外する（ステップＳ３３４）。
【００７２】
一方、家Ａの端末装置２０において母が、上記のステップＳ３２１で追加したバナーを自分の接続指示画面から削除すると（ステップＳ３２２）、仲介サーバ１０の更新部１２は、このグループ識別情報とユーザ識別情報の組み合わせ（ＭＫ０１＆ＭＰ０２）に対応する接続指示画面情報から該当するバナーを削除する（ステップＳ３５６）。ただし、このとき、家Ａにおいては、このバナーはまだ祖母の接続指示画面に含まれているので、家Ａはコンテンツ提供者に対する課金の対象から除外されることはなく、課金対象のままとされる。
【００７３】
さらに、家Ａの端末装置２０において祖母が、上記のステップＳ３１１にて追加したバナーを自分の接続指示画面から削除すると（ステップＳ３１３）、仲介サーバ１０の更新部１２は、このグループ識別情報とユーザ識別情報の組み合わせ（ＭＫ０１＆ＭＰ０１）に対応する接続指示画面情報から該当するバナーを削除する（ステップＳ３５７）。このときには、家Ａについては、当該バナーを含む接続指示画面情報を有するユーザはいなくなったので、家Ａはコンテンツ提供者に対する課金対象から除外される（ステップＳ３１４）。
【００７４】
以上、接続指示画面情報に対するバナーの追加、及び接続指示画面情報からのバナーの削除、ならびにそれらに伴う課金処理について説明した。本実施の形態のコンテンツ閲覧システム１００では、仲介サーバ１０において、グループ識別情報とユーザ識別情報の組み合わせごとに接続指示画面情報が保存されており、接続指示画面情報の更新の際には、端末装置２０からはグループ識別情報及びユーザ識別情報が送信されるとともに、更新要求が送信されるので、同じグループ内であってもユーザごとに異なる接続指示画面を提供できるとともに、課金処理についてはグループ単位で行うことができるという柔軟な運用が実現でき、ユーザの要求にも広告主であるコンテンツ提供者の要求にも応えることができる。
【００７５】
次に、コンテンツサーバにおける処理を説明する。コンテンツサーバ３０は、図１に示すように、通信部３１、閲覧ページ生成部３２、記憶部３３、及び個別処理部３４を備えている。本実施の形態のコンテンツ閲覧システム１００では、上述のように、端末装置２０は、仲介サーバ１０に対してグループ識別情報とユーザ識別情報とを送信するので、コンテンツサーバ３０においてもこのグループ識別情報とユーザ識別情報を利用して、有効なコンテンツ提供を行うことができる。
【００７６】
図９は、端末装置２０においてコンテンツサーバ３０に保存されたコンテンツを含む閲覧ページを表示する動作を説明するフロー図である。図３のコンテンツ閲覧トップ画面において、バナーがタッチされると、端末装置２０の通信部２３は、グループ識別情報及びユーザ識別情報とともに、タッチされたバナーに対応するコンテンツ提供者を特定する情報を含む画面情報要求を仲介サーバ１０に送信する（ステップＳ２２１）。なお、上述のように、グループ識別情報及びユーザ識別情報は、画面情報要求とは別に（例えばユーザ認証において）送信されてもよい。
【００７７】
仲介サーバ１０の通信部１１は、この画面情報要求を受信して（ステップＳ２１１）、そのグループ識別情報とユーザ識別情報の組み合わせに対応する接続指示画面情報を画面情報記憶部１３から読み出して、端末装置２０に送信する（ステップＳ２１２）。
【００７８】
端末装置２０の通信部２３は、この接続指示画面情報を受信して（ステップＳ２２２）、この接続指示画面情報を用いて表示部２１にて、図４に示すような接続指示画面を表示する（ステップＳ２２３）。この接続指示画面にていずれかのバナーがタッチされると、入力部２２がこれを検知して、通信部２３は、そのユーザのグループ識別情報及びユーザ識別情報、並びにそのバナーに対応するコンテンツ提供者を特定する情報を含むアクセス要求を仲介サーバ１０に送信する（ステップＳ２２４）。なお、グループ識別情報及びユーザ識別情報は、アクセス要求とは別に送信されてもよい。
【００７９】
仲介サーバ１０の通信部１１は、このアクセス要求を受信して、当該アクセス要求に含まれる情報によって特定されるコンテンツサーバ３０に、アクセス要求を送信する（ステップＳ２１３）。コンテンツサーバ３０の通信部３１は、仲介サーバ１０から送信されてきたアクセス要求を受信すると（ステップＳ２３１）、仲介サーバ１０に識別情報要求を送信する（ステップＳ２３２）。
【００８０】
仲介サーバ１０は、この識別情報要求を受信して（ステップＳ２１４）、正しいコンテンツサーバであることを確認すると、このコンテンツサーバ３０に対して、このアクセス要求にかかるグループ識別情報及びユーザ識別情報をコンテンツサーバ３０に送信する（ステップＳ２１５）。なおこのとき、仲介サーバ１０は、端末装置２０から受信したグループ識別情報及びユーザ識別情報を変換した上でコンテンツサーバ３０に送信する。すなわち、仲介サーバ１０には、端末装置２０との間で使用するグループ識別情報及びユーザ識別情報と、コンテンツサーバとの間で使用するグループ識別情報及びユーザ識別情報とを一対一に対応付けるテーブルを有しており、このテーブルにしたがってこれらの識別情報を変換する。
【００８１】
コンテンツサーバ３０の通信部３１が、識別情報を受信すると（ステップＳ２３３）、閲覧ページ生成部３２は、記憶部３３に記憶されているコンテンツを用いて、このグループ識別情報とユーザ識別情報の組み合わせに対応するコンテンツを含む閲覧ページを生成する（ステップＳ２３４）。グループ識別情報とユーザ識別情報の各組み合わせに対して、閲覧ページにどのようなコンテンツを含めるかについては、記憶部３３に記憶されているので、閲覧ページ生成部３２はこれを参照する。通信部３１は、生成された閲覧ページを仲介サーバ１０に送信する（ステップＳ２３５）。
【００８２】
仲介サーバ１０の通信部１１は、この閲覧ページを受信して、これを端末装置２０に転送する（ステップＳ２１６）。端末装置２０の通信部２３は、この閲覧ページを受信して（ステップＳ２２５）、表示部２１にて閲覧ページを表示する（ステップＳ２２６）。
【００８３】
以上が端末装置２０にてコンテンツ提供者のコンテンツを含む閲覧ページを表示するための処理である。上記のように、コンテンツサーバ３０にはユーザ識別情報が送信されるので、コンテンツサーバ３０ではこのユーザ識別情報に対応するコンテンツからなる閲覧ページを生成して端末装置２０に提供することができる。さらに、コンテンツサーバ３０にはそのユーザのグループ識別情報が送信されるので、コンテンツサーバ３０は同一のユーザに対しても、グループが異なる場合には異なるコンテンツからなる閲覧ページを生成して端末装置２０に提供できる。
【００８４】
なお、コンテンツサーバ３０から端末装置２０に対してメッセージのプッシュ送信を行うこともできる。すなわち、ユーザからのアクセス要求に応じてメッセージを送信するのではなく、コンテンツサーバ３０から自主的に端末装置２０にメッセージを送信することができる。この場合には、コンテンツサーバ３０は、送信対象のグループ識別情報とユーザ識別情報の組み合わせを特定したうえで、メッセージを仲介サーバ１０に送信すると、仲介サーバ１０は、接続指示画面情報にこのメッセージを受けたことを端末装置２０に送信する。
【００８５】
この通知を受けた端末装置２０は、例えば図２の画面にてアイコンＩ１を点滅させるなどして、ユーザにメッセージがあることを報知する。この報知に応じてユーザがメッセージの受信をする操作を行った場合には、端末装置２０の通信部２３は、メッセージ要求を仲介サーバ１０に送信して、仲介サーバ１０はこれに応えて、コンテンツサーバ３０から受信していたメッセージを端末装置２０に送信する。
【００８６】
なお、プッシュ送信によるメッセージがある場合には、仲介サーバ１０は、端末装置２０に送信する接続指示画面情報にその旨の情報を含めてもよい。この場合には、端末装置２０の表示部２１に表示されるコンテンツ閲覧トップ画面（接続指示画面）において、当該プッシュ送信を行なったコンテンツ提供者のバナーにその旨の標識を付し、又はそのコンテンツ提供者のバナーが点滅するようにして、プッシュ送信によるメッセージがあることをユーザに知らせるようにしてよい。また、プッシュ送信で受けたメッセージの一覧を表示して、ユーザが選択したメッセージの内容を表示するようにしてもよい。
【００８７】
また、コンテンツサーバ３０の記憶部３３は、さらに、ユーザ識別情報ごとに、ユーザの個人情報を記憶している。この個人情報は、上述のように、ユーザが、コンテンツサーバ３０のバナーを接続指示画面に追加する際に、端末装置２０から仲介サーバ１０を介してコンテンツサーバ３０に送られる。この個人情報には、例えば、ユーザの氏名、住所、年齢、性別、クレジットカードの番号等が含まれる。
【００８８】
個別処理部３４は、通信部３１にて受信したユーザ識別情報に対応する個人情報を記憶部３３より読み出して、読み出した個人情報を用いて、このユーザの閲覧ページに当該ユーザの趣向に適したコンテンツを含めたり、例えば、予約、注文、申し込み等処理を行なう。
【００８９】
このように、ユーザの個人情報は、バナー登録の際にコンテンツサーバ３０に送られて、コンテンツサーバ３０に記憶され、コンテンツサーバ３０においては、その後はユーザ識別情報を用いて当該ユーザの個人情報を利用できるので、注文等の処理のたびに通信ネットワークＮＷ１やＮＷ２を介して個人情報を送信する必要がなくなる。また、仲介サーバ１０からは、グループ識別情報とユーザ識別情報が送信されてくるので、ユーザが異なる複数のグループに所属していたとしても、グループごとにコンテンツサーバ３０に対して個人情報を送信する必要はなく、即ち、コンテンツサーバ３０では、個人情報をユーザ識別情報に対応付けて記憶しておけばよい。
【産業上の利用可能性】
【００９０】
以上のように、本発明のコンテンツ閲覧システムは、コンテンツサーバに接続するための接続命令を含む接続指示画面情報が、グループ識別情報とユーザ識別情報の組み合わせごとに生成・更新されるので、同一のユーザに対しても、グループが異なれば異なる接続指示画面情報を提供できるという効果を有し、端末装置から仲介サーバを介してコンテンツサーバに接続するコンテンツ閲覧システム等として有用である。
【符号の説明】
【００９１】
１０  仲介サーバ
１１  通信部
１２  更新部
１３  画面情報記憶部
１４  課金処理部
２０  端末装置
２１  表示部
２２  入力部
２３  通信部
２４  ユーザ認証部
２４１  記憶部
２４２  カードリーダ
２４３  認証部
３０  コンテンツサーバ
３１  通信部
３２  閲覧ページ生成部
３３  記憶部
３４  個別処理部
【図１】
0005917122.tif 000002
【図２】
0005917122.tif 000003
【図３】
0005917122.tif 000004
【図４】
0005917122.tif 000005
【図５】
0005917122.tif 000006
【図６】
0005917122.tif 000007
【図７】
0005917122.tif 000008
【図８】
0005917122.tif 000009
【図９】
0005917122.tif 000010